(57)【特許請求の範囲】
【請求項１】
下記一般式（Ｉ）で示されるアゾ化合物を、酸若しくは塩基触媒により脱カルボエステル化する手段、または無溶媒若しくは溶媒の存在下で５０℃〜３００℃に加熱することにより脱カルボエステル化する手段により、一般式、Ａ（Ｈ）ｎ（但し、Ａ及びｎは、下記一般式（Ｉ）と同様であり、Ｈは水素原子である。）で示されるアゾ化合物に変換することを特徴とするアゾ顔料の製造法。
【化１】
0005387937.tif 000046
〔但し、Ａは、
下記一般式（II）で表されるアゾ化合物の残基であり、
【化２】
0005387937.tif 000047
｛但し、一般式（II）中、Ｂは下記一般式（III）〜（Ｘ）の少なくともいずれかで示され、Cpは下記一般式（１５）、（１８）及び（１９）の少なくともいずれかで示される。ｍは２又は３の整数を表わす。｝
該アゾ化合物の残基は、Ｃｐが下記一般式（１５）で示される場合、一般式（１５）中の−ＯＨ基及び−ＣＯＮＨ−基中の各水素原子がＥ基と置換されて、Ｅ基と結合しており、Ｃｐが、一般式（１８）または（１９）で示される場合、一般式（１８）または（１９）中のＯＨ基中の水素原子がＥ基と置換されて、Ｅ基と結合しており、Ｅ基は下記の基：−Ｃ（＝Ｏ）−Ｏ−Ｒ１（式中Ｒ１は、炭素数４から１０のアルキル基、アルケニル基、アルキニル基、シクロアルキル基、シクロアルケニル基、またはアラルキル基をあらわす。）を表わし、ｎは、２から６の整数である。 ｝
一般式（III）
【化３】
0005387937.tif 000048
（ただし、Ｒ１１，Ｒ１２は独立して、水素原子、ハロゲン原子、アルキル基、アルコキシ基、カルボキシル基及びそのエステルを表わす。）
一般式（IＶ）
【化４】
0005387937.tif 000049
（ただし、Ｒ１３，Ｒ１４，Ｒ１５は独立して、水素原子、ハロゲン原子、アルキル基、アルコキシ基、カルボキシル基及びそのエステルを表わす。）
一般式（Ｖ）
【化５】
0005387937.tif 000050
（ただし、Ｒ１６，Ｒ１７，Ｒ１８は独立して、水素原子、ハロゲン原子、アルキル基、アルコキシ基、カルボキシル基及びそのエステルを表わす。）
一般式（ＶI）
【化６】
0005387937.tif 000051
（ただし、Ｒ１９，Ｒ２０は独立して、水素原子、ハロゲン原子、アルキル基、アルコキシ基、カルボキシル基及びそのエステルを表わす。）
一般式（ＶII）
【化７】
0005387937.tif 000052
（ただし、Ｒ２１，Ｒ２２は独立して、水素原子、ハロゲン原子、アルキル基、アルコキシ基、カルボキシル基及びそのエステルを表わし、Ｒ２３は独立して、水素原子、ハロゲン原子、アルキル基、アルコキシ基、カルボキシル基を表わす。）
一般式（ＶIII）
【化８】
0005387937.tif 000053
（ただし、Ｒ２４，Ｒ２５，Ｒ２６は独立して、水素原子、ハロゲン原子、アルキル基、アルコキシ基、カルボキシル基及びそのエステルを表わす。）
一般式（IX）
【化９】
0005387937.tif 000054
（ただし、Ｒ２７，Ｒ２８，Ｒ２９は独立して、水素原子、ハロゲン原子、アルキル基、アルコキシ基、カルボキシル基及びそのエステルを表わす。）
一般式（Ｘ）
【化１０】
0005387937.tif 000055
（ただし、Ｒ３０，Ｒ３１は独立して、水素原子、ハロゲン原子、アルキル基、アルコキシ基、カルボキシル基及びそのエステルを表わす。）
一般式（１５）
【化１１】
0005387937.tif 000056
（ただし、一般式（１５）中、Ｚは炭化水素環または複素環を表し、Ｙ２は炭化水素環基、複素環基、または−Ｎ＝Ｃ（Ｒ５）（Ｒ６）（但し、Ｒ５は炭化水素環基、複素環基またはスチリル基、Ｒ６は水素原子、アルキル基またはフェニル基を表わすか、あるいはＲ５およびＲ６はそれらに結合する炭素原子と共に環を形成してもよい。）を表す。
一般式（１８）
【化１２】
0005387937.tif 000057
一般式（１９）
【化１３】
0005387937.tif 000058
（ただし、上記一般式（１８），（１９）中、Ｒは水素原子、アルキル基、アルコキシ基またはハロゲン原子を、またｋは１〜４の整数をそれぞれ表わす。）
【発明の詳細な説明】
【技術分野】
【０００１】
本発明は有機光導電体として有用な新規アゾ顔料及びその製造方法に関する。
【背景技術】
【０００２】
従来より、ある主のアゾ顔料が電子写真感光体の一つの形態である積層型感光体に用いられる有機光導電体、特に電荷発生顔料として有用であることが知られている。この積層型感光体は公知のように導電性支持体上に光によって電荷担体を発生する能力を有する電荷発生顔料を主成分とする電荷発生層とその上に電荷発生層で発生した電荷担体を効率よく注入し、更にこれを搬送する能力を有する電荷搬送物質を主成分とする電荷搬送層とを設けた感光体である。従来、このような感光体に使用されるアゾ顔料としては、例えば特許文献１（特開昭４７−３７５４３号公報）、特許文献２（特開昭５２−５５６４３号公報）等に記載されるベンジジン系ビスアゾ顔料や、特許文献３（特開昭５２−８８３２号公報）に記載されるスチルベン系ビスアゾ顔料、特許文献４（特開昭５８−２２２１５２号公報）に記載されるジフェニルヘキサトリエン系ビスアゾ顔料、特許文献５（特開昭５８−２２２１５３号公報）に記載されるジフェニルブタジエン系ビスアゾ顔料等が知られている。
しかし従来のアゾ顔料を用いた積層型感光体は一般に感度が低いため、高速複写機用感光体としては不満足である。この理由の一つとして上記のアゾ顔料は一般に有機溶剤に対する溶解性が極めて低く、精製は有機溶媒による洗浄工程に限られており、不純物を十分に取り除けていないと考えられる。また、感光体の製造において、微細な粒子として均一な分散液を得るためにボールミリング等の手段により長時間の分散工程、また安定な分散性を得るために樹脂、分散安定剤等の併用が避けられなかった。
そこで従来の欠点を克服した有機光導電体として有用なアゾ顔料の製造が望まれている。
【０００３】
【特許文献１】特開昭４７−３７５４３号公報
【特許文献２】特開昭５２−５５６４３号公報
【特許文献３】特開昭５２−８８３２号公報
【特許文献４】特開昭５８−２２２１５２号公報
【特許文献５】特開昭５８−２２２１５３号公報
【発明の開示】
【発明が解決しようとする課題】
【０００４】
本発明の目的は、高速複写機用としては勿論、レーザープリンタ用としても実用的な高感度の電子写真感光体、特に積層型感光体に用いられる有機光導電体として有用な有機溶剤に対して溶解性の優れたアゾ顔料を提供することである。また、場合によりボールミリング等の手段を用いることなく、均質な、特に積層型感光体に用いられる電荷発生層を形成するアゾ顔料の製造方法を提供することである。
【課題を解決するための手段】
【０００５】
上記課題は、以下の本発明によって解決される。
（１）「下記一般式（Ｉ）で示されるアゾ化合物を、化学的手段、熱的手段または光分解的手段を用いて脱カルボエステル化することにより、Ａ（Ｈ）ｎで示されるアゾ化合物に変換することを特徴とするアゾ顔料の製造法；
【０００６】
【化１】
0005387937.tif 000002
〔但し、Ａはアゾ化合物の残基であり、この残基Ａは、１つまたはそれ以上のヘテロ原子を介してｎ個のＥ基に結合しており、そしてこれらのヘテロ原子は、ＮおよびＯからなる群から選ばれ、残基Ａの一部を形成しており、Ｅ基は下記のカルボエステル基：−Ｃ（＝Ｏ）−Ｏ−Ｒ１（式中Ｒ１は、炭素数４から１０の置換または非置換のアルキル基、アルケニル基、アルキニル基、シクロアルキル基、シクロアルケニル基、またはアラルキル基を表わす。）を表わし、ｎは、１から９の整数である。〕」、
（２）「前記一般式（Ｉ）で示されるアゾ化合物を有機溶剤に溶解し、その溶液をシリカゲル、アルミナ、フロリジル、活性炭素、活性白土、珪藻土、またはパーライトで吸着処理をした後、化学的手段、熱的手段または光分解的手段を用いて脱カルボエステル化することにより、Ａ（Ｈ）ｎで示されるアゾ化合物に変換することを特徴とする前記第（１）項に記載のアゾ顔料の製造法」、
（３）「酸性触媒を用いることを特徴とする前記第（１）項又は第（２）項に記載のアゾ顔料の製造法」、
（４）「化学的手段と熱的手段を併用することを特徴とする前記第（１）項乃至第（３）項のいずれかに記載のアゾ顔料の製造法」、
（５）「前記アゾ化合物の式：Ａ（Ｈ）ｎのＡが、下記一般式（II）で示されるアゾ顔料であることを特徴とする前記第（１）項乃至第（４）項のいずれかに記載のアゾ顔料の製造法；
【０００７】
【化２】
0005387937.tif 000003
〔但し、Ｂはアゾ化合物の主骨格を示し、Ｃｐはカップラー成分残基であり、ｍは２又は３の整数を表わす。〕」、
（６）「前記Ｃｐ−が下記一般式（５）乃至（１３）の少なくともいずれかで表わされるカップラー成分残基であることを特徴とする前記第（５）項に記載のアゾ顔料の製造法；
【０００８】
【化３】
0005387937.tif 000004
【０００９】
【化４】
0005387937.tif 000005
【００１０】
【化５】
0005387937.tif 000006
【００１１】
【化６】
0005387937.tif 000007
上記一般式（５）〜（８）中、Ｘ、Ｙ１、Ｚ、ｐおよびｑはそれぞれ以下のものを表わす。
Ｘ：−ＯＨ、−Ｎ（Ｒ１）（Ｒ２）または−ＮＨＳＯ２−Ｒ３。
（ただしここで、Ｒ１およびＲ２は水素原子または置換もしくは無置換のアルキル基を表わし、Ｒ３は置換もしくは無置換のアルキル基または置換もしくは無置換のアリール基を表わす。）
Ｙ１：水素原子、ハロゲン原子、置換もしくは無置換のアルキル基、置換もしくは無置換のアルコキシ基、カルボキシ基、スルホン基、置換もしくは無置換のスルファモイル基または−ＣＯＮ（Ｒ４）（Ｙ２）。［Ｒ４は水素原子、アルキル基もしくはその置換体またはフェニル基もしくはその置換体を表わし、Ｙ２は炭化水素環基もしくはその置換体、複素環基もしくはその置換体、または−Ｎ＝Ｃ（Ｒ５）（Ｒ６）（但し、Ｒ５は炭化水素環基もしくはその置換体、複素環基もしくはその置換体またはスチリル基もしくはその置換体、Ｒ６は水素原子、アルキル基またはフェニル基もしくはその置換体を表わすか、あるいはＲ５およびＲ６はそれらに結合する炭素原子と共に環を形成してもよい。）を示す。］
Ｚ：炭化水素環もしくはその置換体または複素環もしくはその置換体。
ｐ：１または２の整数。
ｑ：１または２の整数。
【００１２】
【化７】
0005387937.tif 000008
（上式中、Ｒ７は置換もしくは無置換の炭化水素基を表わし、Ｘは前記と同じである。）
【００１３】
【化８】
0005387937.tif 000009
（上式中、Ａは、式（１０）中に記載された２個のＮ原子と共にＮ含有ヘテロ環を形成するに必要な芳香族炭化水素の２価基または窒素原子を環内に含むヘテロ原子含有の２価基を表わす（これらの環は置換または無置換でもよい）。Ｘは前記と同じ。）
【００１４】
【化９】
0005387937.tif 000010
（上式中、Ｒ８はアルキル基、カルバモイル基、カルボキシ基またはそのエステルを表わし、Ａｒ１は炭化水素環基またはその置換体を表わし、Ｘは前記と同じである。）
【００１５】
【化１０】
0005387937.tif 000011
【００１６】
【化１１】
0005387937.tif 000012
（上記式（１２）および（１３）中、Ｒ９は水素原子または置換もしくは無置換の炭化水素基を表わし、Ａｒ２は炭化水素環基またはその置換体を表わす。但し、同時にＲ９が水素原子でかつＡｒ２がシクロアルキル基又はシクロアルケニル基になることはない）。」；
【００１７】
前記一般式（６）、（７）または（８）のＺの炭化水素環としては、ベンゼン環、ナフタレン環などが例示でき、また複素環（置換基を持っていてもよい）としては、インドール環、カルバゾール環、ベンゾラン環、ジベンゾフラン環などが例示できる。Ｚの環における置換基としては、塩素原子、臭素原子などのハロゲン原子が例示できる。
Ｙ２またはＲ５における炭化水素環基としては、フェニル基、ナフチル基、アントリル基、ピレニル基などが、また複素環基としては、ピリジル基、チエニル基、フリル基、インドリル基、ベンゾフラニル基、カルバゾリル基、ジベンゾフラニル基などが例示でき、更に、Ｒ５およびＲ６が結合して形成する環としては、フルオレン環などが例示できる。また、Ｙ２またはＲ５の炭化水素環基または複素環基あるいはＲ５およびＲ６によって形成される環における置換基としては、メチル基、エチル基、プロピル基、ブチル基などのアルキル基；メトキシ基、エトキシ基、プロポキシ基、ブトキシ基などのアルコキシ基；塩素原子、臭素原子などのハロゲン原子；ジメチルアミノ基、ジエチルアミノ基などのジアルキルアミノ基；トリフルオロメチル基などのハロメチル基；ニトロ基、シアノ基、カルボキシ基またはそのエステル、水酸基、−ＳＯ３Ｎａなどのスルホン酸塩基などが挙げられる。
Ｒ４のフェニル基の置換体としては、塩素原子または臭素原子などのハロゲン原子が例示できる。Ｒ７またはＲ９における炭化水素基の代表例としては、メチル基、エチル基、プロピル基、ブチル基などのアルキル基；フェニル基などのアリール基またはこれらの置換体が例示できる。また、Ｒ７またはＲ９の炭化水素基における置換基としては、メチル基、エチル基、プロピル基、ブチル基などのアルキル基；メトキシ基、エトキシ基、プロポキシ基、ブトキシ基などのアルコキシ基；塩素原子、臭素原子などのハロゲン原子；水酸基、ニトロ基などが例示できる。
Ａｒ１またはＡｒ２における炭化水素環基としては、フェニル基、ナフチル基などがその代表例であり、またこれらの基における置換基としては、メチル基、エチル基、プロピル基、ブチル基などのアルキル基；メトキシ基、エトキシ基、プロポキシ基、ブトキシ基などのアルコキシ基；ニトロ基、塩素原子、臭素原子などのハロゲン原子；シアノ基、ジメチルアミノ基、ジエチルアミノ基などのジアルキルアミノ基などが例示できる。また、Ｘの中では特に水酸基が適当である。
【００１８】
上記カップラー残基の中でも好ましいのは上記一般式（６）、（９）、（１０）、（１１）、（１２）および（１３）で示されるものであり、この中でも上記一般式におけるＸが水酸基のものが好ましい。また、この中でも特に一般式（１４）で表わされるカップラー残基が好ましく、更に好ましいのは一般式（１５）で表わされるカップラー残基である。
【００１９】
【化１２】
0005387937.tif 000013
（Ｙ１およびＺは前記に同じ。）
【００２０】
【化１３】
0005387937.tif 000014
（Ｚ、Ｙ２およびＲ２は前記に同じ。）
【００２１】
更にまた、上記好ましいカップラー残基の中でも、特に一般式（１６）、（１７）または（１８）で表わされるものが好ましい。
【００２２】
【化１４】
0005387937.tif 000015
【００２３】
【化１５】
0005387937.tif 000016
（Ｚ、Ｒ２、Ｒ５およびＲ６は前記に同じであり、またＲ１０としては上記のＹ２の置換基が例示できる。）
【００２４】
【化１６】
0005387937.tif 000017
（式中、Ｒは水素原子、アルキル基、アルコキシ基またはハロゲン原子を、またｋは１〜４の整数をそれぞれ表わす。）
Ｒの具体例としては、水素原子；メチル基、エチル基、プロピル基、ブチル基などのアルキル基；メトキシ基、エトキシ基、プロポキシ基、ブトキシ基などのアルコキシ基；塩素原子、臭素原子、弗素原子などのハロゲン原子が挙げられる。
前記一般式（II）におけるＢはアゾ化合物の主骨格を示し、ｍは２又は３の整数を表わす。〕」、
（７）「前記一般式（II）のＢが、下記一般式（III）で示されることを特徴とする前記第（５）項又は第（６）項に記載のアゾ顔料の製造法；
【００２５】
【化１７】
0005387937.tif 000018
（ただし、Ｒ１１，Ｒ１２は独立して、水素原子、ハロゲン原子、置換もしくは無置換のアルキル基、置換もしくは無置換のアルコキシ基、カルボキシル基及びそのエステルを表わす。）」、
（８）「前記一般式（II）のＢが、下記一般式（IＶ）で示されることを特徴とする第（５）項又は第（６）項に記載のアゾ顔料の製造法；
【００２６】
【化１８】
0005387937.tif 000019
（ただし、Ｒ１３，Ｒ１４，Ｒ１５は独立して、水素原子、ハロゲン原子、置換もしくは無置換のアルキル基、置換もしくは無置換のアルコキシ基、カルボキシル基及びそのエステルを表わす。）」、
（９）「前記一般式（II）のＢが、下記一般式（Ｖ）で示されることを特徴とする第（５）項又は第（６）項に記載のアゾ顔料の製造法；
【００２７】
【化１９】
0005387937.tif 000020
（ただし、Ｒ１６，Ｒ１７，Ｒ１８は独立して、水素原子、ハロゲン原子、置換もしくは無置換のアルキル基、置換もしくは無置換のアルコキシ基、カルボキシル基及びそのエステルを表わす。）」、
（１０）「前記一般式（II）のＢが、下記一般式（ＶI）で示されることを特徴とする第（５）項又は第（６）項に記載のアゾ顔料の製造法；
【００２８】
【化２０】
0005387937.tif 000021
（ただし、Ｒ１９，Ｒ２０は独立して、水素原子、ハロゲン原子、置換もしくは無置換のアルキル基、置換もしくは無置換のアルコキシ基、カルボキシル基及びそのエステルを表わす。）」、
（１１）「前記一般式（II）のＢが、下記一般式（ＶII）で示されることを特徴とする第（５）項又は第（６）項に記載のアゾ顔料の製造法；
【００２９】
【化２１】
0005387937.tif 000022
（ただし、Ｒ２１，Ｒ２２は独立して、水素原子、ハロゲン原子、置換もしくは無置換のアルキル基、置換もしくは無置換のアルコキシ基、カルボキシル基及びそのエステルを表わし、Ｒ２３は独立して、水素原子、ハロゲン原子、置換もしくは無置換のアルキル基、置換もしくは無置換のアルコキシ基、カルボキシル基を表わす。）」、
（１２）「前記一般式（II）のＢが、下記一般式（ＶIII）で示されることを特徴とする第（５）項又は第（６）項に記載のアゾ顔料の製造法；
【００３０】
【化２２】
0005387937.tif 000023
（ただし、Ｒ２４，Ｒ２５，Ｒ２６は独立して、水素原子、ハロゲン原子、置換もしくは無置換のアルキル基、置換もしくは無置換のアルコキシ基、カルボキシル基及びそのエステルを表わす。）」、
（１３）「前記一般式（II）のＢが、下記一般式（IＸ）で示されることを特徴とする第（５）項又は第（６）項に記載のアゾ顔料の製造法；
【００３１】
【化２３】
0005387937.tif 000024
（ただし、Ｒ２７，Ｒ２８，Ｒ２９は独立して、水素原子、ハロゲン原子、置換もしくは無置換のアルキル基、置換もしくは無置換のアルコキシ基、カルボキシル基及びそのエステルを表わす。）」、
（１４）「前記一般式（II）のＢが、下記一般式（Ｘ）で示されることを特徴とする第（５）項又は第（６）項に記載のアゾ顔料の製造法；
【００３２】
【化２４】
0005387937.tif 000025
（ただし、Ｒ３０，Ｒ３１は独立して、水素原子、ハロゲン原子、置換もしくは無置換のアルキル基、置換もしくは無置換のアルコキシ基、カルボキシル基及びそのエステルを表わす」。
【発明の効果】
【００３３】
本発明の製造法で得られるアゾ顔料は、高速複写機用として高い感度を示す電子写真感光体に用いられる有機光導電体としてきわめて有用である。即ち、溶解性の良いアゾ化合物を、吸着処理で精製しアゾ顔料を製造することにより高純度のアゾ顔料が製造でき、高感度な感光体を得ることができる。
【発明を実施するための最良の形態】
【００３４】
本発明の前記式：Ａ（Ｈ）ｎで示されるアゾ顔料の好ましい化合物としては、アゾ顔料の主骨格が一般式（III）である式（III）−１〜（III）−１４、アゾ顔料の主骨格が一般式（IＶ）である式（IＶ）−１〜（IＶ）−５、アゾ顔料の主骨格が一般式（Ｖ）である式（Ｖ）−１〜（Ｖ）−７、アゾ顔料の主骨格が一般式（ＶI）である式（ＶI）−１〜（ＶI）−５、アゾ顔料の主骨格が一般式（ＶII）である式（ＶII）−１〜（ＶII）−７、アゾ顔料の主骨格が一般式（ＶIII）である式（ＶIII）−１〜（ＶIII）−５、アゾ顔料の主骨格が一般式（IＸ）である式（IＸ）−１〜（IＸ）−４、アゾ顔料の主骨格が一般式（Ｘ）である式（Ｘ）−１〜（Ｘ）−６である。
以下に化合物例を示す。
＜アゾ顔料の主骨格が一般式（III）である化合物の例＞
【００３５】
【化２５】
0005387937.tif 000026
【００３６】
【化２６】
0005387937.tif 000027
【００３７】
【化２７】
0005387937.tif 000028
＜アゾ顔料の主骨格が一般式（IＶ）である化合物の例＞
【００３８】
【化２８】
0005387937.tif 000029
【００３９】
【化２９】
0005387937.tif 000030
【００４０】
【化３０】
0005387937.tif 000031
＜アゾ顔料の主骨格が一般式（Ｖ）である化合物の例＞
【００４１】
【化３１】
0005387937.tif 000032
【００４２】
【化３２】
0005387937.tif 000033
＜アゾ顔料の主骨格が一般式（ＶI）である化合物の例＞
【００４３】
【化３３】
0005387937.tif 000034
【００４４】
【化３４】
0005387937.tif 000035
＜アゾ顔料の主骨格が一般式（ＶII）である化合物の例＞
【００４５】
【化３５】
0005387937.tif 000036
【００４６】
【化３６】
0005387937.tif 000037
＜アゾ顔料の主骨格が一般式（ＶIII）である化合物の例＞
【００４７】
【化３７】
0005387937.tif 000038
【００４８】
【化３８】
0005387937.tif 000039
＜アゾ顔料の主骨格が一般式（IＸ）である化合物の例＞
【００４９】
【化３９】
0005387937.tif 000040
＜アゾ顔料の主骨格が一般式（Ｘ）である化合物の例＞
【００５０】
【化４０】
0005387937.tif 000041
【００５１】
【化４１】
0005387937.tif 000042
【００５２】
前記式（Ｉ）の化合物は、例えば特願２００７−１７２２６９号明細書に記載されているようにして合成でき、例えば非プロトン性有機溶剤中、触媒として塩基の存在下０〜１５０℃、好ましくは１０〜１００℃の温度で、３０分から２０時間、前記一般式（II）のものと、下記式のものとを、適切なモル比で反応させて合成できる。
【００５３】
【化４２】
0005387937.tif 000043
（Ｂ，Ｃｐ，Ｒ１は前記に記載のとおりである）
それぞれの場合において、モル比は導入されるＥの数に左右される。好ましくはピロ炭酸ジエステルを少し過剰に用いるのが適している。
【００５４】
適切な非プロトン性有機溶剤は、例えば、テトラヒドロフランまたはジオキサン等のエーテル系溶媒、またはエチレングリコールメチルエーテル、エチレングリコールエチルエーテル等のグリコールエーテル系溶剤またアセトニトリル、Ｎ，Ｎ−ジメチルホルムアミド、Ｎ，Ｎ−ジメチルアセトアミド、エチルセルソルブ、酢酸エチル、酢酸メチル、ジクロロメタン、ジクロロエタン、モノクロロベンゼン、トルエン、キシレン、ニトロベンゼン、ピリジン、ピコリンまたはキノリン等が挙げられる。好ましい溶剤は、ピリジン、テトラヒドロフラン、Ｎ，Ｎ−ジメチルホルムアミド、Ｎ，Ｎ−ジメチルアセトアミドである。
【００５５】
触媒として適切な塩基は、例えばアルカリ金属：ナトリウム、カリウムなど、ならびにそれらの水酸化物及び炭酸塩、またはアルカリ金属アミド類であり、ナトリウムアミド、カリウムアミド類であり、また水素化アルカリ金属類たとえば水素化リチウムなどがある。有機脂肪族、芳香族またはヘテロ環式Ｎ−塩基類としては、ジアザビシクロオクテン、ジアザビシクロウンデセン、４−ジメチルアミノピリジン、ジメチルピリジン、ピリジン、トリエチルアミンなどが使用できる。好ましいのは、有機Ｎ−塩基類であり、例えば、４−ジメチルアミノピリジン、ジメチルピリジン、ピリジンである。
【００５６】
下記式で示されるピロ炭酸ジエステルは、一般に知られている方法で製造できる。また商業的にも入手できる。Ｒ１は、上記の記載のものを示すが、好ましくは溶解性の驚くべき向上の点で分岐のアルキル基が好ましい。
【００５７】
【化４３】
0005387937.tif 000044
【００５８】
本発明の、下記一般式（Ｉ）で示されるアゾ化合物を、化学的手段、熱的手段または光分解的手段を用いて脱カルボエステル化することにより、Ａ（Ｈ）ｎで示されるアゾ化合物に変換することを内容とするアゾ顔料の製造法について、説明する。
【００５９】
【化４４】
0005387937.tif 000045
〔但し、Ａはアゾ化合物の残基であり、この残基Ａは、１つまたはそれ以上のヘテロ原子を介してｎ個のＥ基に結合しており、そしてこれらのヘテロ原子は、ＮおよびＯからなる群から選ばれ、残基Ａの一部を形成しており、Ｅ基は下記のカルボエステル基：−Ｃ（＝Ｏ）−Ｏ−Ｒ１（式中Ｒ１は、炭素数４から１０の置換または非置換のアルキル基、アルケニル基、アルキニル基、シクロアルキル基、シクロアルケニル基、またはアラルキル基を表わす。）を表わし、ｎは、１から９の整数である。〕
【００６０】
化学的手段（化学的方法）は、酸または塩基などの触媒によりアゾ顔料を製造する方法であるが、好ましい触媒は酸であり、酢酸、トリフルオロ酢酸、プロピオン酸、アクリル酸、安息香酸、塩酸、硫酸、ホウ酸、ｐ-トルエンスルホン酸。サリチル酸等が挙げられる。
熱的手段（熱的方法）は、無溶媒あるいは溶媒の存在下に５０℃〜３００℃に加熱することによりアゾ顔料を製造する方法であるが、好ましくは、７０℃〜２５０℃に大気圧下で３０分から２０時間反応させることが望ましい。
光分解的手段（方法）は、前記一般式（Ｉ）で示されるアゾ化合物が、吸収を有する光であれば使用することができる。具体的には、高圧または低圧水銀灯、タングステンランプ、ＬＥＤランプ、レーザー光源などが使用できる。
【００６１】
ここに用いられる有機溶剤としては、例えば、テトラヒドロフランまたはジオキサン等のエーテル系溶媒、またはエチレングリコールメチルエーテル、エチレングリコールエチルエーテル等のグリコールエーテル系溶剤またブタノール、Ｎ，Ｎ−ジメチルホルムアミド、Ｎ，Ｎ−ジメチルアセトアミド、エチルセルソルブ、酢酸エチル、酢酸ブチル、モノクロロベンゼン、ジクロロベンゼン、トルエン、キシレン、アニソール、シクロヘキサノン、ニトロベンゼン、ピリジン、ピコリンまたはキノリン等が挙げられる。
化学的方法、熱的方法または光分解的方法は、併用することによりさらに効率的にアゾ顔料が製造できる。特に化学的方法と熱的方法を組み合わせることにより収率良く、高純度のアゾ顔料が製造できる。
【００６２】
前記一般式（Ｉ）で示されるアゾ化合物を有機溶剤に溶解し、その溶液をシリカゲル、アルミナ、フロリジル、活性炭素、活性白土、珪藻土、またはパーライトで吸着処理をした後、化学的方法、熱的方法または光分解的方法を用いることにより、Ａ（Ｈ）ｎで示される前記アゾ顔料の製造法について、説明する。
ここで用いる有機溶剤としては、例えば、テトラヒドロフランまたはジオキサン等のエーテル系溶媒、またはエチレングリコールメチルエーテル、エチレングリコールエチルエーテル等のグリコールエーテル系溶剤またＮ，Ｎ−ジメチルホルムアミド、Ｎ，Ｎ−ジメチルアセトアミド、エチルセルソルブ、酢酸エチル、酢酸ブチル、ジクロロメタン、クロロホルム、４塩化炭素、ジクロロエタン、モノクロロベンゼン、ジクロロベンゼン、トルエン、キシレン、アニソール、n-ヘキサン、シクロヘキサン、シクロヘキサノン、ニトロベンゼン、ピリジン、ピコリンまたはキノリン等及びこれらの混合溶剤が挙げられる。吸着処理の具体的方法としては、カラムクロマトグラフィー、室温または、加熱時に吸着剤を加え、濾過する方法がある。また、再結晶と組み合わせることによりさらに効率的に高純度のアゾ顔料が製造できる。
【００６３】
本発明で製造されるアゾ顔料は有機光導電体、特に電荷発生物質として各種電子写真用感光体に例えば次のようにして利用される。
（１）導電性支持体上に前記アゾ顔料、結着樹脂及び必要あれば増感剤を主成分とする光導電層を設けて単層型感光体とする。
（２）前記（１）の系に更に電荷輸送物質を添加して同様に単層型感光体とする。
（３）導電性支持体上に前記アゾ顔料を主成分とする電荷発生層を設け、更にその上に電荷輸送物質及び結着樹脂を主成分とする電荷輸送層を設けて積層型感光体とする。
（４）また前記（３）の電荷発生層、電荷輸送層を逆に積層した層構成の感光体とする。
また、本発明のアゾ顔料の製造方法は、各種電子写真用感光体を作成する段階と併用することができる。たとえば、前記一般式（Ｉ）で示されるアゾ化合物を溶剤に溶解し導電性支持体上にキャスト法などによりアゾ化合物の薄膜を形成し、化学的方法、熱的方法または光分解的方法を用いることによりアゾ顔料を主成分とする電荷発生層を作成し、更にその上に電荷輸送物質及び結着樹脂を主成分とする電荷輸送層を設けて積層型感光体とすることもできる。
【実施例】
【００６４】
以下に本発明を実施例及び応用例によって説明する。
＜実施例１＞
・アゾ顔料（III−３）（Ｅ＝Ｈ）の製造
特願２００７−１７２２６９号明細書の実施例１で製造されるアゾ化合物（III−３）（Ｅ：Ｃ５Ｈ９Ｏ２）０．４９グラム、トリフルオロ酢酸１．０グラムをｏ−キシレン５０ｍｌとともに、還流温度下に８時間反応させた。徐々に黒色味をおび、濃紺色の沈殿が析出した。室温に戻し、０．１ミクロンのフルオロポアで濾取し、テトラヒドロフラン５０ｍｌで洗浄し濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元の（脱カルボブトキシ基化された）アゾ顔料と同じであることを認めた。
【００６５】
＜実施例２＞
・アゾ顔料（III−４）（Ｅ＝Ｈ）の製造
特願２００７−１７２２６９号明細書の実施例２で製造されるアゾ化合物（III−４）（Ｅ：Ｃ５Ｈ９Ｏ２）０．４８グラム、トリフルオロ酢酸１．０グラムをｏ−ジクロロベンゼン５０ｍｌとともに、還流温度下に４時間反応させた。徐々に黒色味をおび、濃紺色の沈殿が析出した。室温に戻し、０．１ミクロンのフルオロポアで濾取し、テトラヒドロフラン５０ｍｌで洗浄し濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００６６】
＜実施例３＞
・アゾ顔料（III−２）（Ｅ＝Ｈ）の製造
特願２００７−１７２２６９号明細書の実施例３で製造されるアゾ化合物（III−２）（Ｅ：Ｃ５Ｈ９Ｏ２）０．４８グラム、トリフルオロ酢酸１．０グラムをクロロベンゼン５０ｍｌとともに、還流温度下に５時間反応させた。徐々に黒色味をおび、濃紺色の沈殿が析出した。室温に戻し、０．１ミクロンのフルオロポアで濾取し、テトラヒドロフラン５０ｍｌで洗浄し濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００６７】
＜実施例４＞
・アゾ顔料（III−３）（Ｅ＝Ｈ）の製造
特願２００７−１７２２６９号明細書の実施例４で製造されるアゾ化合物（III−３）（Ｅ：Ｃ８Ｈ７Ｏ２）０．５２グラム、酢酸２．０グラムをトルエン５０ｍｌとともに、８０℃に５時間反応させた。徐々に黒色味をおび、濃紺色の沈殿が析出した。室温に戻し、０．１ミクロンのフルオロポアで濾取し、テトラヒドロフラン５０ｍｌで洗浄し濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００６８】
＜実施例５＞
・アゾ顔料（IＶ−１）（Ｅ＝Ｈ）の製造
特願２００７−１７２２６９号明細書の実施例５で製造されるアゾ化合物（IＶ−１）（Ｅ：Ｃ５Ｈ９Ｏ２）１．１８グラム、ｏ−キシレン１００ｍｌとともに、還流温度下に５時間反応させた。徐々に黒色味をおび、濃紺色の沈殿が析出した。室温に戻し、０．１ミクロンのフルオロポアで濾取し、テトラヒドロフラン５０ｍｌで洗浄し濃青色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００６９】
＜実施例６＞
・アゾ顔料（Ｖ−１）（Ｅ＝Ｈ）の製造
特願２００７−１７２２６９の号明細書実施例６で製造されるアゾ化合物（Ｖ−１）（Ｅ：Ｃ５Ｈ９Ｏ２）０．５３グラム、トリフルオロ酢酸１．０グラムをクロロベンゼン５０ｍｌとともに、還流温度下に５時間反応させた。徐々に黒色味をおび、濃紺色の沈殿が析出した。室温に戻し、０．１ミクロンのフルオロポアで濾取し、テトラヒドロフラン５０ｍｌで洗浄し濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７０】
＜実施例７＞
・アゾ顔料（ＶI−１）（Ｅ＝Ｈ）の製造
特願２００７−１７２２６９号明細書の実施例７で製造されるアゾ化合物（ＶI−１）（Ｅ：Ｃ５Ｈ９Ｏ２）０．５０グラム、塩酸１．０グラムをシクロヘキサノン５０ｍｌとともに、還流温度下に５時間反応させた。徐々に黒色味をおび、濃紺青色の沈殿が析出した。室温に戻し、０．１ミクロンのフルオロポアで濾取し、テトラヒドロフラン５０ｍｌで洗浄し濃青色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７１】
＜実施例８＞
・アゾ顔料（ＶII−２）（Ｅ＝Ｈ）の製造
特願２００７−１７２２６９号明細書の実施例８で製造されるアゾ化合物（ＶII−２）（Ｅ：Ｃ８Ｈ７Ｏ２）０．５３グラム、トリフルオロ酢酸２グラムをＮ，Ｎ−ジメチルホルムアミド５０ｍｌとともに、還流温度下に３時間反応させた。徐々に青色味をおび、濃紺青色の沈殿が析出した。室温に戻し、０．１ミクロンのフルオロポアで濾取し、テトラヒドロフラン５０ｍｌで洗浄し濃青色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７２】
＜実施例９＞
・アゾ顔料（ＶIII−５）（Ｅ＝Ｈ）の製造
特願２００７−１７２２６９号明細書の実施例９で製造されるアゾ化合物（ＶIII−５）（Ｅ：Ｃ５Ｈ９Ｏ２）０．４６グラム、トリフルオロ酢酸１グラムをクロロベンゼン５０ｍｌとともに、１００℃に３時間反応させた。徐々に青色味をおび、濃紺青色の沈殿が析出した。室温に戻し、０．１ミクロンのフルオロポアで濾取し、テトラヒドロフラン５０ｍｌで洗浄し濃青色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７３】
＜実施例１０＞
・アゾ顔料（Ｘ−１）（Ｅ＝Ｈ）の製造
特願２００７−１７２２６９号明細書の実施例１０で製造されるアゾ化合物（Ｘ−１）（Ｅ：Ｃ５Ｈ９Ｏ２）０．３２グラム、トリフルオロ酢酸１．０グラムをｏ−ジクロロベンゼン５０ｍｌとともに、還流温度下に４時間反応させた。徐々に黒色味をおび、濃紺色の沈殿が析出した。室温に戻し、０．１ミクロンのフルオロポアで濾取し、テトラヒドロフラン５０ｍｌで洗浄し濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７４】
＜実施例１１＞
・アゾ顔料（III−２）（Ｅ＝Ｈ）の製造
特願２００７−１７２２６９号明細書の実施例３で製造されるアゾ化合物（III−２）（Ｅ：Ｃ５Ｈ９Ｏ２）０．３０グラムをナスフラスコに入れ、１７０℃に２時間反応させた。徐々に黒青色味をおびてきた。室温に戻し、濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７５】
＜実施例１２＞
・アゾ顔料（III−２）（Ｅ＝Ｈ）の製造
・特許第３０２６６４５号公報の実施例５に準じてアゾ顔料を合成した、ただし、反応後のＮ，Ｎ−ジメチルホルムアミドによる、洗浄・精製を行わずに次の特願２００７−１７２２６９号明細書の実施例３に準じ反応を行なった。
ここで得られた（III−２）（Ｅ＝Ｈ）１．６１グラム、ピロカルボン酸ジ−ｔｅｒｔ−ブチルエステル４．３グラム（１０倍モル）を脱水ピリジン５０ｍｌ、脱水Ｎ、Ｎ−ジメチルホルムアミド２００ｍｌに分散させ、室温で１５分間攪拌した後、さらに約５０℃に加温し２時間反応させた。徐々に赤色味を帯び、均一な溶液が得られた。室温に戻し、溶媒を除去し、酢酸エチル約１００ｍｌを加えの赤色の粉末を得た。
これをさらにカラムクロマトグラム（シリカゲル／クロロフォルム）で精製を行なった。このものを、上記実施例３と同様に反応し、濃青紫色の粉末を得た。
このものの赤外線吸収スペクトル（ＫＢｒ錠剤法）は、アゾ化合物の２９８０ｃｍ−１の飽和炭化水素による吸収、１７６０ｃｍ−１のカルボネートのＣ＝Ｏの伸縮振動に基づく吸収が消失し、元のアゾ顔料と同じであることを認めた。
【００７６】
＜応用例＞
上記実施例１２で製造したアゾ顔料を用いた以外は、特許第３０２６６４５号公報に記載の応用例２と同様にして積層型の電子写真感光体を作成した。
この積層型感光体について、静電複写紙試験装置（（株）川口電機製作所製、ＳＰ４２８型）を用いて、−６ＫＶのコロナ放電を２０秒間行なって負に帯電せしめた後、２０秒間暗所に放置し、その時の表面電位Ｖｐｏ（Ｖ）を測定し、次いで、タングステンランプによってその表面が照度４．５ルックスになるように光を照射し、光減衰によってＶｐｏが１／２になるまでの時間（秒）を求め、感光体の感度として半減露光量Ｅ１／２（ルックス・秒）を算出した。
本発明にかかわる感光体のＶｐｏは−１１０５Ｖ、Ｅ１／２は０．６ルックス・秒であり、高感度な感光体であることが判る。